(57)【要約】【課題】外装フレームの厚みをなるべく小さくし、かつ表示ムラを生じにくくさせる液晶表示モジュールの保持構造を提供すること。【解決手段】液晶表示装置であって、液晶表示モジュールを狭持する前面側保持部材と背面側保持部材とを備えており、前記前面側保持部材は前記液晶表示モジュールの画像表示部分を露出する開口部を有しており、前記背面側保持部材は略中央に前記液晶表示モジュールの背面と接する凸平面が設けられており、前記凸平面は前記液晶表示モジュールの周辺部と接しないことを特徴とする。【選択図】図２
2017203930.tif 000002
【特許請求の範囲】
【請求項１】
液晶表示モジュールを狭持する前面側保持部材と背面側保持部材とを備えており、
前記前面側保持部材は前記液晶表示モジュールの画像表示部分を露出する開口部を有しており、
前記背面側保持部材は中央に前記液晶表示モジュールの背面と接する凸平面が設けられており、前記凸平面は前記液晶表示モジュールの周辺部と接しないことを特徴とする液晶表示装置。
【請求項２】
前記凸平面と前記液晶表示モジュールの間に別部材が配置されることを特徴とする請求項１に記載の液晶表示装置。
【請求項３】
前記凸平面が別部材によって構成されることを特徴とする請求項１に記載の液晶表示装置。
【請求項４】
前記凸平面の形状がリブ形状、もしくはピン形状、もしくは中空形状、矩形形状に限らないことを特徴とする請求項１に記載の液晶表示装置。
【発明の詳細な説明】
【技術分野】
【０００１】
本発明は、液晶表示モジュールを保持する保持構造を有する液晶表示装置に関する。
【背景技術】
【０００２】
テレビ、コンピュータの端末、広告媒体、医療用機器、映像製作などの用途に液晶表示装置が用いられている。近年では薄型化の需要も高まっており、液晶表示装置内の液晶表示モジュールも薄型化、軽量化が図られ、その保持、固定方法に関しては、画質への影響を極力なくすように様々な方法が取られている。画質への影響の一つに表示ムラがあるが、これは液晶表示装置の表示面を構成する表示パネルの使用環境、使用方法によって表示パネルが変形、反りが発生することで生じる。
【０００３】
液晶表示装置の発熱等により表示パネル温度が上昇し、熱変形することで、反りが発生する場合や、また、高温環境での使用等の環境条件や、衝撃が加わる等、これら外的要因により表示パネルが変形、反りが生じる場合もある。この反りの発生により表示パネルに応力が生じ、表示ムラが発生、特にパネルが高精細化、大型化、屋外使用する場合に表示パネルの反りによる画質影響が顕著となり問題となる。
【０００４】
このため、従来技術として特許文献１に開示の技術では、液晶表示モジュールを保持するフレームが背面側外装と一体となり、前面側外装と固定されることで、変形に対して強い剛性を有することができる。
【先行技術文献】
【特許文献】
【０００５】
【特許文献１】特開２００２−２２１７０６号公報
【発明の概要】
【発明が解決しようとする課題】
【０００６】
しかしながら、特許文献１では、液晶表示モジュールの表示面以外の全領域において固定されているため、変形ストロークが確保されておらず、表示パネルへ外力が加わった際、表示ムラが発生しやすい。とくに薄型の液晶表示モジュールは、変形に対する強度が弱く、そのため画像を表示した際、表示ムラが生じやすいという課題があった。
【０００７】
本発明は、上記を鑑みてなされたものであり、薄型の液晶表示モジュールの変形によって生じる表示ムラを低減することが可能な液晶表示装置を提供することを目的とする。
【課題を解決するための手段】
【０００８】
上記の目的を達成するために、本発明に係る液晶表示装置は、
画像を表示させる液晶表示モジュールと、前記液晶表示モジュールを狭持する前面側保持部材と背面側保持部材とを備えており、
前記前面側保持部材は前記液晶表示モジュールの画像表示部分を露出する開口部を有しており、 
前記背面側保持部材は略中央に前記液晶表示モジュールの背面と接する凸平面が設けられており、前記凸平面は前記液晶表示モジュールの周辺部と接しないことを特徴とする。
【発明の効果】
【０００９】
本発明によれば、液晶表示モジュール周辺部に自由度を持たせることで反り発生に伴う表示ムラを改善することが可能な液晶表示装置を提供することができる。
【図面の簡単な説明】
【００１０】
【図１】本発明の液晶表示装置の正面図である。
【図２】本発明の液晶表示装置の第1の実施形態に係る分解斜視図である。
【図３】第1の実施形態に係る背面側保持部材の斜視図である。
【図４】図1に記載のA-A間の断面図である。
【図５】第2の実施形態に係る背面側保持部材と液晶表示モジュール周辺の概要図である。
【図６】第2の実施形態に係る背面側保持部材と液晶表示モジュール周辺の概要図である。
【図７】第3の実施形態に係る背面側保持部材の斜視図である。
【発明を実施するための形態】
【００１１】
以下、本発明を実施するための形態について、図面を参照しながら説明する。
【００１２】
（実施例１）
本発明の実施形態を以下に詳細に説明する。
【００１３】
図１及び図２は本発明の液晶表示装置の正面図及び分解斜視図であり、図３は本発明の液晶表示装置の第1の実施形態に係る背面側保持部材の斜視図である。
【００１４】
本発明の液晶表示装置は、画像を表示させる液晶表示モジュール1と、液晶表示モジュールを狭持する前面側保持部材4と背面側保持部材3を備える。背面側保持部材3には丸孔33があけられており、前面側保持部材4と結合する構成となっている。液晶表示モジュール1は裏面から伸びる端子が背面側保持部材3にあけられた開口穴32を通って電源基板6に接続されており、電源基板6は基板ホルダー5に、基板ホルダー5は背面側保持部材3にそれぞれ固定され、背面側保持部材3に固定される基板カバー7によって電源基板6は覆われている。
【００１５】
液晶表示モジュール1は、画像を表示する液晶パネル、液晶パネルを駆動させるドレイン基板、光を均一に面発光させるための導光板、導光板側面から光を入射させるエッジライト、輝度向上のための光学シートによって構成されている（図示せず）。外装部品である背面側保持部材3、前面側保持部材4、基板ホルダー5及び基板カバー7の材質は金属、樹脂、またはその他の材料であってもよい。
【００１６】
図３に示す背面側保持部材3は液晶表示モジュール1の裏面に配置される。背面側保持部材3は、縁周りにリブ31が配置され、これにより液晶表示モジュール1の面内方向の位置を決めることができ、筺体内での動きを限定させることができる。背面側保持部材3の略中央には矩形形状の凸平面34が配置されており、この凸平面34と前面側保持部材4により液晶表示モジュール1は狭持されることで厚み方向の位置を決め、筺体内での動きを限定させることができる。
【００１７】
前面側保持部材4は、液晶表示モジュール1の前面に配置され、液晶表示モジュール1の画像表示部分を露出する開口部を有している。前面側保持部材4と液晶表示モジュール1の間には液晶表示モジュール1の液晶パネル面への圧力を低減させる目的で弾性部材2を配置してもよい。
【００１８】
凸平面３４は背面側保持部材のほぼ中央に配置され、矩形形状であり、液晶表示モジュールの裏面と接しているが、液晶表示モジュール1の周辺部とは接しないことを特徴とする。凸平面34が液晶表示モジュール1の周辺部と接しないことにより、液晶表示モジュール周辺部に空間が生まれる。この空間により液晶表示モジュール1に反りが発生した際、変形を許容することが可能となり、液晶パネルへの圧力を低減し、表示ムラの抑制が可能となる。
【００１９】
また背面側保持部材3の材質を放熱性能が高い金属材料とすることで凸平面34が液晶表示モジュール1の背面と接しているため、液晶表示装置の放熱性能を高めることができる。
【００２０】
面内方向及び厚み方向の液晶表示モジュールの保持方法として本発明ではリブ及び凸平面と前面側保持部材で狭持しているため、ネジの使用本数削減によるコストダウンを行うことができる。
【００２１】
（実施例２）
図５は本発明の液晶表示装置の第2の実施形態に係る背面側保持部材と液晶表示モジュール周辺の概要図である。
【００２２】
背面側保持部材3の略中央にあり、液晶表示モジュール1の背面側に配置されている凸平面34は、液晶表示モジュール1の周辺部と接しないことを特徴とする。
【００２３】
図５に示されるように背面側保持部材3の略中央にある凸平面34は、液晶表示モジュール-凸平面間に熱伝導部材のような緩衝部材8を配置する構成でもよい。
【００２４】
背面側保持部材3の凸平面34のみで液晶表示モジュール1と接する場合、隙間なく凸平面の全領域が液晶表示モジュールと接することは難しく、放熱性能が低減してしまう恐れがある。
【００２５】
しかし、液晶表示モジュール-凸平面間に弾性力と放熱性能を兼ねる放熱ゴム等の緩衝部材を配置することで液晶表示モジュール-凸平面間の隙間を限りなく少なくし、より放熱性能を上げた液晶表示装置を提供することができる。
【００２６】
また、図６に示すように凸平面44が背面側保持部材40と別部材で構成されていてもよい。凸平面44のみを銅等の放熱性能が高い材料や放熱ゴム等の別部材で構成してもよい。さらに板金を加工し、凸平面を作製することで同等の機能を持たせ、使用してもよい。
【００２７】
（実施例３）
図７は本発明の液晶表示装置の第3の実施形態に係る背面側保持部材の正面図である。
【００２８】
背面側保持部材の略中央にあり、液晶表示モジュールの背面側に配置されている凸平面は、液晶表示モジュールの周辺部と接しないことを特徴とするが、凸平面の形状は矩形でなくてもよい。
【００２９】
図７に示すように、液晶表示モジュールの周辺部とは接しないが、凸平面の形状は図７(a)に示すようなリブ形状、もしくは図７(b)に示すようなピン形状、もしくは図７(c)に示すような中空形状であってもよい。またこれら凸平面の形状は別部材として構成されていてもよい。液晶表示モジュールの周辺部に空間があり、且つ変形した際、変形を許容できる形状であれば前記形状に限られるものではない。
【符号の説明】
【００３０】
1  液晶表示モジュール、2  弾性部材、3  背面側保持部材、4  前面側保持部材、
5  基板ホルダー、6  電源基板、7  基板カバー、34  凸平面
【図１】
2017203930.tif 000003
【図２】
2017203930.tif 000004
【図３】
2017203930.tif 000005
【図４】
2017203930.tif 000006
【図５】
2017203930.tif 000007
【図６】
2017203930.tif 000008
【図７】
2017203930.tif 000009